(57)【要約】【課題】薬剤を入手する入手者に飲み合わせ情報を通知することができる薬剤情報通知装置及び薬剤情報通知システムを提供する。【解決手段】薬剤を入手する入手者Ｐにより所持され、入手者Ｐが服用する服用薬の情報を保存するＩＣカード１０と、入手者Ｐにより入手された入手薬の情報を読み込むバーコードリーダ２１と、ＩＣカード１０に保存された服用薬情報を読み込むＩＣカードリーダ２２と、入手した入手薬のレシートを出力する出力部２７とを備え、出力部２７は、バーコードリーダ２１により読み込まれた入手薬情報を有する入手薬とＩＣカードリーダ２２により読み込まれた服用薬情報を有する服用薬との飲み合わせ情報、及び入手者Ｐにより入手された入手薬のレシートを含む薬剤情報を用紙に印刷出力する。【選択図】  図３
2011059892.tif 000002
【特許請求の範囲】
【請求項１】
薬剤を入手する入手者により所持され、その入手者が服用する服用薬の情報を保存する記憶媒体と、
前記入手者により入手された入手薬の情報を読み込む入手薬情報読み込み手段と、
前記記憶媒体に保存された服用薬情報を読み込む服用薬情報読み込み手段と、
前記入手薬情報読み込み手段により読み込まれた入手薬情報を有する入手薬と前記服用薬情報読み込み手段により読み込まれた服用薬情報を有する服用薬との飲み合わせ情報を前記入手薬のレシートと共に出力する出力手段とを
備えたことを特徴とする薬剤情報通知装置。
【請求項２】
前記出力手段は、前記飲み合わせ情報及び前記レシートを含む薬剤情報を印刷出力するようにしたことを特徴とする請求項１に記載の薬剤情報通知装置。
【請求項３】
前記出力手段は、前記飲み合わせ情報及び前記レシートを含む薬剤情報を表示出力するようにしたことを特徴とする請求項１に記載の薬剤情報通知装置。
【請求項４】
前記飲み合わせ情報を、前記入手者が所持する端末装置のメールアドレスへメール送信する送信手段を有することを特徴とする請求項１に記載の薬剤情報通知装置。
【請求項５】
前記入手薬情報読み込み手段により読み込まれた入手薬情報を服用薬情報として前記記憶媒体に書き込み保存する書き込み手段を有することを特徴とする請求項１に記載の薬剤情報通知装置。
【請求項６】
前記服用薬情報には、前記入手者が服用する服用薬の有効期限の情報が含まれ、
前記記憶媒体に保存された有効期限切れの情報を有する服用薬情報を削除するようにしたことを特徴とする請求項１に記載の薬剤情報通知装置。
【請求項７】
前記入手薬情報読み込み手段により読み込まれた入手薬情報及び前記服用薬情報読み込み手段により読み込まれた服用薬情報を、前記薬剤の飲み合わせ情報を保管する薬剤情報保管装置へネットワークを介して送信し、この送信に応じて前記薬剤情報保管装置から返信される飲み合わせ情報を、前記ネットワークを介して受信する送受信手段を有し、
前記入手薬情報読み込み手段により読み込まれた入手薬情報を有する入手薬と前記服用薬情報読み込み手段により読み込まれた服用薬情報を有する服用薬との飲み合わせ情報は、前記送受信手段により受信された情報であることを特徴とする請求項１に記載の薬剤情報通知装置。
【請求項８】
前記薬剤の飲み合わせ情報を保存する薬剤情報記憶手段を有し、
前記入手薬情報読み込み手段により読み込まれた入手薬情報を有する入手薬と前記服用薬情報読み込み手段により読み込まれた服用薬情報を有する服用薬との飲み合わせ情報は、前記薬剤情報記憶手段に保存された飲み合わせ情報を検索することにより得られた情報であることを特徴とする請求項１に記載の薬剤情報通知装置。
【請求項９】
薬剤を入手する入手者により所持され、その入手者が服用する服用薬の情報を保存する記憶媒体と、
前記入手者により入手された入手薬の情報を読み込む入手薬情報読み込み手段と、
前記記憶媒体に保存された服用薬情報を読み込む服用薬情報読み込み手段と、
前記薬剤の飲み合わせ情報を保管する薬剤情報保管手段と、
前記入手薬情報読み込み手段により読み込まれた入手薬情報及び前記服用薬情報読み込み手段により読み込まれた服用薬情報の前記薬剤情報保管手段への送信、及びこの送信に応じて前記薬剤情報保管手段から返信される飲み合わせ情報を受信する送受信手段と、
前記送受信手段により受信された飲み合わせ情報を前記入手者により入手された入手薬のレシートと共に出力する出力手段とを
備えたことを特徴とする薬剤情報通知システム。
【発明の詳細な説明】
【技術分野】
【０００１】
本発明は、薬剤の飲み合わせに関する情報を通知する薬剤情報通知システム及び薬剤情報通知装置に関する。
【背景技術】
【０００２】
通常、病院や診療所等の医療施設で受診した患者は医師によって薬剤を処方され、その処方箋に基づいて医療施設内外の薬局で患者に薬剤が与えられる。しかしながら、患者に処方した薬剤と患者が服用している服用薬との飲み合わせが悪いと患者に悪影響を与えるため、処方した薬剤の安全性を確認することができる薬剤管理システムが知られている（例えば、特許文献１参照。）。
【先行技術文献】
【特許文献】
【０００３】
【特許文献１】特開２００３−１０８６６７号公報
【発明の概要】
【発明が解決しようとする課題】
【０００４】
しかしながら、特許文献１の薬剤管理システムが対象としていない、小売店や薬局等で一般に市販されている薬剤を入手しようとする入手者が、その薬剤を入手する際に、服用している服用薬との飲み合わせの情報を簡単に入手することができない問題がある。
【０００５】
本発明は、上記問題点を解決するためになされたもので、薬剤を入手する入手者に飲み合わせ情報を通知することができる薬剤情報通知装置及び薬剤情報通知システムを提供することを目的とする。
【課題を解決するための手段】
【０００６】
上記問題を解決するために、請求項１に係る本発明の薬剤情報通知装置は、薬剤を入手する入手者により所持され、その入手者が服用する服用薬の情報を保存する記憶媒体と、前記入手者により入手された入手薬の情報を読み込む入手薬情報読み込み手段と、前記記憶媒体に保存された服用薬情報を読み込む服用薬情報読み込み手段と、前記入手薬情報読み込み手段により読み込まれた入手薬情報を有する入手薬と前記服用薬情報読み込み手段により読み込まれた服用薬情報を有する服用薬との飲み合わせ情報を前記入手薬のレシートと共に出力する出力手段とを備えたことを特徴とする。
【０００７】
また、請求項９に係る本発明の薬剤情報通知システムは、薬剤を入手する入手者により所持され、その入手者が服用する服用薬の情報を保存する記憶媒体と、前記入手者により入手された入手薬の情報を読み込む入手薬情報読み込み手段と、前記記憶媒体に保存された服用薬情報を読み込む服用薬情報読み込み手段と、前記薬剤の飲み合わせ情報を保管する薬剤情報保管手段と、前記入手薬情報読み込み手段により読み込まれた入手薬情報及び前記服用薬情報読み込み手段により読み込まれた服用薬情報の前記薬剤情報保管手段への送信、及びこの送信に応じて前記薬剤情報保管手段から返信される飲み合わせ情報を受信する送受信手段と、前記送受信手段により受信された飲み合わせ情報を前記入手者により入手された入手薬のレシートと共に出力する出力手段とを備えたことを特徴とする。
【発明の効果】
【０００８】
本発明によれば、入手する薬剤と服用している服用薬との飲み合わせ情報を、レシートと共に出力することができる。これにより、入手者に飲み合わせ情報を簡単に通知することができる。
【図面の簡単な説明】
【０００９】
【図１】本発明の実施例に係る薬剤情報通知システムの構成を示す図。
【図２】本発明の実施例に係るＩＣカードに保存された情報の一例を示す図。
【図３】本発明の実施例に係る薬剤情報通知装置の構成の詳細を示すブロック図。
【図４】本発明の実施例に係る薬剤情報通知システムの動作を示すフローチャート。
【図５】本発明の実施例に係るＩＣカードへの書き込みにより保存された飲み合せ薬情報の一例を示す図。
【図６】本発明の実施例に係る印刷部により用紙に印刷出力された薬剤情報の一例を示す図。
【発明を実施するための形態】
【００１０】
以下、本発明の実施例を、図面を参照して説明する。
【実施例】
【００１１】
図１は、本発明の実施例に係る薬剤情報通知システムの構成を示した図である。  
この薬剤情報通知システム１００は、薬剤を入手する入手者Ｐにより所持され、入手者Ｐが入手した薬剤（入手薬）が有するその入手薬を識別する薬コード、薬剤名、有効期限、価格等の情報を含む入手薬情報を入手者Ｐが服用する服用薬の情報として書き込み可能に、入手者Ｐが服用している薬剤（服用薬）が有するその服用薬を識別する薬コード、薬剤名、有効期限等の情報を含む服用薬情報を保存している記憶媒体である例えばＩＣカード１０を備えている。
【００１２】
また、薬剤情報通知システム１００は、開口部２０ａから挿入されたＩＣカード１０に保存された服用薬情報を読み込み、読み込んだ服用薬情報を有する服用薬と入手薬との飲み合わせにより入手者Ｐに悪影響を与える可能性がある薬効低下や副作用の増強等の飲み合わせ情報を含む薬剤情報を入手者Ｐに通知する薬剤情報通知装置２０を備えている。
【００１３】
更に、薬剤情報通知システム１００は、薬剤情報通知装置２０とネットワーク５０で接続され、小売店や薬局で直接市販可能な一般の市販薬や、医療施設で処方された処方薬等の様々な薬剤を組み合わせたときの飲み合わせにより、悪影響を与える可能性がある薬効低下や副作用の増強等の飲み合わせ情報を保管する薬剤情報保管装置６０を備えている。
【００１４】
図２は、ＩＣカード１０に保存された情報の一例を示した図である。  
このＩＣカード１０は、例えば薬剤情報保管装置６０を管理する機関により発行される。そして、ＩＣカード１０には、入手者Ｐの前記機関への申請により登録された個人情報１１と、小売店、薬局、医療施設等で入手者Ｐにより入手された薬剤である入手薬の情報を服用薬の情報として構成した飲み合せ薬情報１２とが保存される。
【００１５】
個人情報１１は、発行された機関以外では変更不可能に「氏名」、「アドレス」、及び「送信フラグ」等のエリアに保存されている。そして、「氏名」のエリアに保存された入手者Ｐを識別する例えば氏名である「東芝太郎」の識別情報、及び「アドレス」のエリアに保存された「氏名」エリアの識別情報を有する入手者Ｐが所持するメールの受信が可能な携帯電話機やパーソナルコンピュータ等の端末装置のメールアドレスである「ＸＸＸ＠ｘｘｘ．ｎｅ．ｊｐ」の情報により構成される。
【００１６】
また、「送信フラグ」のエリアに保存された「アドレス」エリアのメールアドレスに飲み合わせ情報をメール送信することを示すメール送信フラグである「ＯＮ」の情報等により構成される。なお、入手者Ｐの要求によりメールアドレスに飲み合わせ情報を送信しない場合には、メール送信しないことを示すメール送信フラグである「ＯＦＦ」が保存される。
【００１７】
飲み合わせ薬情報１２を構成している各服用薬情報は、薬剤情報通知装置２０により読み込み及び削除可能に「コード」、「名称」、及び「期限」等のエリアに保存されている。そして、「コード」のエリアに保存された入手者Ｐの服用薬を識別する「ＩＤ０１００２」、「ＩＤ３０５１５」等の薬コードの情報、及び「名称」のエリアに保存された「コード」エリアの「ＩＤ０１００２」に対応する「風邪薬Ａ」、「ＩＤ３０５１５」に対応する「胃腸薬Ｂ」等の薬剤名の情報により構成される。
【００１８】
また、「期限」のエリアに保存された「名称」エリアの「風邪薬Ａ」に対応する「２００９／７／１０」、「胃腸薬Ｂ」に対応する「２００９／７／１１」等の有効期限の情報等により構成される。そして、各服用薬情報は、最も古い有効期限を有する服用薬情報を先頭にして、有効期限の古い順に並べて保存されている。
【００１９】
このように、入手者Ｐが所持するＩＣカード１０に服用薬の情報を保存することができる。これにより、入手者Ｐが新たに薬剤を入手するとき、服用薬の情報を入手者Ｐが忘れている場合でもＩＣカード１０から読み出すことができる。
【００２０】
図３は、薬剤情報通知装置２０の構成の詳細を示したブロック図である。  
この薬剤情報通知装置２０は、小売店、薬局、医療施設等のレジスタに配置され、入手者Ｐが入手する入手薬の容器や包装等に貼付されたバーコードラベルから入手薬情報を読み込むバーコードリーダ２１と、開口部２０ａから挿入されたＩＣカード１０に保存される個人情報１１及び飲み合わせ薬情報１２を読み込むＩＣカードリーダ２２とを備えている。
【００２１】
また、ＩＣカードリーダ２２により読み込まれた飲み合わせ薬情報１２に含まれる有効期限の情報に基づいて、飲み合わせ薬情報１２の服用薬情報を有する服用薬が入手者Ｐにより服用されているか否かを判定する判定部２３と、バーコードリーダ２１により読み込まれた入手薬情報を服用薬情報としてＩＣカード１０に書き込み保存すると共に、飲み合わせ薬情報１２の中から判定部２３で服用されていないと判定された服用薬の情報を削除するＩＣカードライタ２４とを備えている。
【００２２】
更に、バーコードリーダ２１により読み込まれた入手薬情報及び判定部２３で服用されていると判定された服用薬の情報から成る薬剤組合せ情報の薬剤情報保管装置６０への送信や、この送信に応じて薬剤情報保管装置６０から返信される飲み合わせ情報の受信を行うインターフェース２５と、バーコードリーダ２１により読み込まれた入手薬情報に含まれる価格の情報に基づいて入手薬の合計の金額を算出する計算部２６とを備えている。
【００２３】
更にまた、計算部２６で算出された金額に基づいて入手薬のレシートや、このレシート及びインターフェース２５で受信された飲み合わせ情報を含む薬剤情報を印刷出力する印刷部２７１及び表示出力する表示部２７２を有する出力部２７と、各種コマンドの入力を行う操作部２８と、バーコードリーダ２１、ＩＣカードリーダ２２、判定部２３、ＩＣカードライタ２４、インターフェース２５、計算部２６、及び出力部２７を統括して制御する制御部２９とを備えている。
【００２４】
以下、図１乃至図６を参照して、薬剤情報通知システム１００の動作の一例を説明する。図４は、薬剤情報通知システム１００の動作を示すフローチャートである。図５は、ＩＣカード１０への書き込みにより保存された飲み合せ薬情報の一例を示す図である。図６は、印刷部２７１により用紙に印刷出力された薬剤情報の一例を示す図である。
【００２５】
図４において、入手者Ｐが例えば一般の薬剤を薬局で購入して入手するとき、入手者Ｐの所持するＩＣカード１０が薬局のレジスタで提示される。そして、薬剤情報通知装置２０の開口部２０ａからＩＣカード１０が挿入され、操作部２８からバーコードリーダ２１による読み込みを可能にする操作が行われると、薬剤情報通知システム１００は、動作を開始する（ステップＳ１）。
【００２６】
薬剤情報通知装置２０の制御部２９は、バーコードリーダ２１、ＩＣカードリーダ２２、判定部２３、ＩＣカードライタ２４、インターフェース２５、計算部２６、及び出力部２７に薬剤情報の通知を指示する。
【００２７】
バーコードリーダ２１は、購入する薬剤である入手薬に貼付されたバーコードラベルから入手薬情報を読み込み、読み込んだ入手薬情報をＩＣカードライタ２４、インターフェース２５、及び計算部２６に出力する。また、ＩＣカードリーダ２２は、ＩＣカード１０から図２に示した飲み合わせ薬情報１２を読み込み、読み込んだ飲み合わせ薬情報１２を判定部２３に出力する。
【００２８】
なお、操作部２８からの操作により、ＩＣカード１０から読み込んだ飲み合わせ薬情報１２を表示部２７２に表示するように実施してもよい。
【００２９】
このように、服用薬の情報を入手者Ｐが忘れている場合でもＩＣカード１０から読み出して、入手者Ｐが服用している全ての服用薬の情報を確認することができる。
【００３０】
判定部２３は、ＩＣカードリーダ２２から出力された飲み合せ薬情報１２に含まれる有効期限の情報に基づいて、飲み合わせ薬情報１２に含まれる服用薬情報を有する服用薬が入手者Ｐにより服用されているか否かを判定し、服用されていると判定した服用薬の情報をＩＣカードライタ２４及びインターフェース２５に出力する。
【００３１】
そして、飲み合わせ薬情報１２に有効期限切れの情報を有する服用薬情報が含まれていない場合（ステップＳ２のいいえ）、飲み合わせ薬情報１２に含まれる全ての服用薬情報を有する服用薬が入手者Ｐにより服用されていると判定する。また、飲み合わせ薬情報１２に有効期限切れの情報を有する服用薬情報が含まれている場合（ステップＳ２のはい）、その服用薬情報を有する服用薬が入手者Ｐにより服用されていないと判定する。
【００３２】
ステップＳ２の「はい」の後に、ＩＣカードライタ２４は、判定部２３から出力された服用薬情報に基づいて、飲み合わせ薬情報１２の中から判定部２３で服用されていないと判定された服用薬の情報を削除する（ステップＳ３）。
【００３３】
ステップＳ２の「いいえ」又はステップＳ３の後に、ＩＣカードライタ２４は、バーコードリーダ２１から出力された入手薬情報を服用薬情報としてＩＣカード１０に書き込み保存する（ステップＳ４）。
【００３４】
図５は、ＩＣカード１０への服用薬情報の書き込みにより保存された飲み合せ薬情報の一例を示した図である。  
この飲み合わせ薬情報１２ａが、図２に示した飲み合わせ薬情報１２と異なる点は、例えば２００９年７月１２日に購入された入手薬の入手薬情報が服用薬情報として追加保存されていると共に、その日の購入により有効期限切れの情報を有する服用薬情報が削除されている点である。
【００３５】
追加された服用薬情報は、「コード」エリアに保存された「ＩＤ０３３２９」、「名称」エリアに保存された「頭痛薬Ｃ」、「期限」エリアに保存された「「２０１０／６／１５」等の情報により構成される。
【００３６】
削除された服用薬情報は、図２に示した飲み合わせ薬情報１２に含まれる、「コード」エリアに保存された「ＩＤ０１００２」、「名称」エリアに保存された「風邪薬Ａ」、「期限」エリアに保存された「「２００９／７／１０」等の情報により構成される。
【００３７】
このように、薬剤の入手毎に、入手した入手薬の情報を服用薬の情報として保存することにより、入手者Ｐが服用する全ての服用薬の情報をＩＣカード１０に保存することができる。また、有効期限が切れて不用になった服用薬の情報を削除して、ＩＣカード１０に保存された服用薬情報を飲み合わせ薬情報１２ａに更新することができる。
【００３８】
インターフェース２５は、バーコードリーダ２１から出力された入手薬情報及び判定部２３から出力された服用薬情報から成る薬剤組合せ情報を、ネットワーク５０を介し薬剤情報保管装置６０に送信する（図４のステップＳ５）。
【００３９】
薬剤情報保管装置６０は、薬剤情報通知装置２０のインターフェース２５からネットワーク５０を介して送信された薬剤組合せ情報を受信し、その受信した薬剤組合せ情報に基づいて作成した飲み合わせ情報を、ネットワーク５０を介して薬剤情報通知装置２０に返信する（図４のステップＳ６）。
【００４０】
薬剤情報通知装置２０のインターフェース２５は、ネットワーク５０を介して薬剤情報保管装置６０から受信した飲み合わせ情報を出力部２７に出力する。また、薬剤情報保管装置６０から受信した飲み合わせ情報を出力部２７に出力する。また、薬剤情報保管装置６０から受信した飲み合わせ情報を入手者Ｐが所持する端末装置の図２に示した個人情報１１に含まれるメールアドレスである「ＸＸＸ＠ｘｘｘ．ｎｅ．ｊｐ」にメール送信する。
【００４１】
このように、入手した入手薬の情報及びＩＣカード１０に保存された服用薬情報に基づいて得られる入手薬と服用薬との飲み合わせ情報を、入手者Ｐが所持する端末装置にメール送信して通知することができる。これにより、入手者Ｐは、飲み合わせ情報を簡単に入手することができる。そして、入手薬と服用薬との飲み合わせを理解して薬剤を服用することができる。また、入手者Ｐが所持する端末装置に通知することにより、飲み合わせ情報を忘れた場合でも、端末装置で再度確認してから服用することができる。
【００４２】
計算部２６は、バーコードリーダ２１から出力された入手薬情報に含まれる価格の情報に基づいて入手薬の合計金額を算出し、算出した金額に基づいて入手薬のレシートを出力部２７に出力する。出力部２７は、計算部２６から出力されたレシート及びインターフェース２５から出力された飲み合わせ情報を含む薬剤情報を出力する（図４のステップＳ７）。
【００４３】
ここで、出力部２７の印刷部２７１は、薬剤情報を所定のフォーマットに従って用紙に印刷出力し、表示部２７２は薬剤情報を画面に表示出力する。
【００４４】
このように、入手した入手薬の情報及びＩＣカード１０に保存された服用薬情報に基づいて得られる入手薬と服用薬との飲み合わせ情報を、入手者Ｐが入手したときに目を通すレシートと共に表示部２７２に表示出力して通知することができる。これにより、入手者Ｐは、飲み合わせ情報を簡単に入手することができる。
【００４５】
図６は、印刷部２７１により用紙に印刷出力された、薬剤情報の一例を示した図である。  
この用紙３０には、薬剤情報３１が印刷されている。この薬剤情報３１は、レシートエリア３２に印刷されたレシート及び飲み合わせ情報エリア３３に印刷された飲み合わせ情報を含んでいる。
【００４６】
レシートエリア３２は、「コード」、「名称」、「数」、「金額」、及び「合計」の欄により構成される。そして、「コード」の欄には、各入手薬情報に含まれる薬コードの情報である「ＩＤ０３３２９」が印刷され、「名称」の欄には「ＩＤ０３３２９」を有する入手薬情報に含まれる薬剤名の情報である「頭痛薬Ｃ」が印刷されている。また、「数」の欄には入手した「ＩＤ０３３２９」の入手薬の数量である例えば「１」が印刷され、「価格」の欄には「ＩＤ０３３２９」の入手薬を「数」の欄の数量を購入したときの金額である「￥ＺＺＺ」が印刷されている。更に、「合計」の欄には入手者Ｐにより入手された全ての入手薬の合計金額である「￥ＺＺＺ」が印刷されている。
【００４７】
飲み合わせ情報エリア３３は、「飲み合わせ」等の欄により構成される。そして、「飲み合わせ」の欄には、入手した入手薬と、飲み合わせ薬情報１２に含まれる服用薬情報を有する服用薬とを組み合わせた場合の各飲み合わせにより、入手者Ｐに悪影響を与える可能性がある飲み合わせ情報が印刷されている。ここでは、例えば「頭痛薬Ｃ」と「胃腸薬Ｂ」との飲み合わせ情報である例えば「飲み合わせがよくありません。理由は、・・・です。」等の情報が印刷されている。
【００４８】
なお、入手薬が、副作用等により日常生活に支障をきたす程度の健康障害が生ずる恐れがあり、特に注意が必要な薬剤や新規の薬剤に分類される第一類医薬品である場合、用法等の注意すべき内容を、飲み合わせ情報及びレシートと共に出力することができる。
【００４９】
このように、入手した入手薬の情報及びＩＣカード１０に保存された服用薬情報に基づいて得られる入手薬と服用薬との飲み合わせ情報を、入手者Ｐが所持するレシートが印刷された用紙３０に印刷出力して通知することができる。これにより、入手者Ｐは、飲み合わせ情報を簡単に入手することができる。そして、入手薬と服用薬との飲み合わせを理解して薬剤を服用することができる。また、入手者Ｐが所持する用紙３０に通知することにより、飲み合わせ情報を忘れた場合でも、その用紙で再度確認してから服用することができる。
【００５０】
ステップＳ７の後に、制御部２９が、バーコードリーダ２１、ＩＣカードリーダ２２、判定部２３、ＩＣカードライタ２４、インターフェース２５、計算部２６、及び出力部２７に飲み合わせ情報の通知の停止を指示することにより、薬剤情報通知装置２０が停止する。これにより、薬剤情報通知システム１００は、動作を終了する(図４のステップＳ８)。
【００５１】
以上述べた本発明の実施例によれば、入手者Ｐが所持しているＩＣカード１０を提示することにより、服用薬の情報を入手者Ｐが忘れている場合でもＩＣカード１０から服用薬情報を読み出して、入手者Ｐが服用している全ての服用薬の情報を確認することができる。
【００５２】
そして、薬剤の入手毎に、入手した入手薬の情報を服用薬の情報としてＩＣカード１０に保存することができる。また、有効期限が切れて不用になった服用薬の情報を削除して、ＩＣカード１０に保存された服用薬情報を飲み合わせ薬情報１２ａに更新することができる。これにより、ＩＣカード１０に入手者Ｐが服用する全ての服用薬の情報を保存することができる。
【００５３】
また、入手した入手薬の情報及びＩＣカード１０に保存された服用薬情報に基づいて得られる入手薬と服用薬との飲み合わせ情報を、入手者Ｐが所持する端末装置にメール送信して通知することができる。また、入手したときに入手者Ｐが目を通すレシートと共に表示部２７２に表示出力して通知することができる。更に、入手したときに入手者Ｐが所持するレシートが印刷された用紙３０に印刷出力して通知することができる。
【００５４】
これにより、入手者Ｐは、飲み合わせ情報を簡単に入手することができる。そして、入手薬と服用薬との飲み合わせを理解して薬剤を服用することができる。また、入手者Ｐが所持する端末装置や用紙３０に通知することにより、飲み合わせ情報を忘れた場合でも、再度確認してから服用することができる。
【００５５】
以上により、入手者Ｐに悪影響を与える飲み合わせを未然に防ぐことができる。
【００５６】
なお、本発明は上記実施例に限定されるものではなく、例えば薬剤情報通知装置２０に、薬剤情報保管装置６０に保管された飲み合わせ情報を保存する医用情報記憶部を設け、設けた医用情報記憶部に保存された飲み合わせ情報を検索して、飲み合わせ情報を含むレシートを出力部２７から出力するように実施してもよい。
【符号の説明】
【００５７】
１０  ＩＣカード
２０  薬剤情報通知装置
２１  バーコードリーダ
２２  ＩＣカードリーダ
２３  判定部
２４  ＩＣカードライタ
２５  インターフェース
２６  計算部
２７  出力部
２８  操作部
２９  制御部
５０  ネットワーク
６０  薬剤情報保管部
１００  薬剤情報通知システム
２７１  印刷部
２７２  表示部
【図１】
2011059892.tif 000003
【図２】
2011059892.tif 000004
【図３】
2011059892.tif 000005
【図４】
2011059892.tif 000006
【図５】
2011059892.tif 000007
【図６】
2011059892.tif 000008